(57)【要約】  【課題】血液で汚染された外科医用具を短時間に洗浄し、人の介在を減らし、感染危険を無くする。更に洗浄と殺菌は別の工程が必要であった。  【解決手段】洗浄槽の内に電気的に絶縁された金属揺動棚と、対極（電極）を有し、該揺動棚には外科医用具を並べて入れた金網籠を載せられるよう構成し、該揺動棚に負電位、該対極に陽電位が掛かるよう直流電源を接続し、該洗浄槽にH2O2（過酸化水素）水溶液を含む洗浄液を入れたとき該網籠と該対極は水没し、該水槽内の揺動棚は網籠を載せた状態で洗浄液内で揺動する構成の外科用医用具洗浄装置。【選択図】    図1
2006167088.tif 000002
【特許請求の範囲】
【請求項１】
洗浄槽の内に電気的に絶縁された金属揺動棚と、対極（電極）を有し、該揺動棚には外科医用具を並べて入れた金網籠を載せられるよう構成し、該揺動棚に負電位、該対極に陽電位が掛かるよう直流電源を接続し、該洗浄槽にH2O2（過酸化水素）水溶液を含む洗浄液を入れたとき該網籠と該対極は水没し、該水槽内の揺動棚は網籠を載せた状態で洗浄液内で揺動する構成の外科用医用具洗浄装置。
【請求項２】
洗浄槽を金属で構成し対極を該洗浄槽としたことを特徴とする請求項1記載の外科用医用具洗浄装置。
【請求項３】
揺動棚の揺動により洗浄糟内の洗浄液がよく動く洗浄槽内の位置に対極を設けたことを特徴とする請求項1記載の外科用医用具洗浄装置。
【請求項４】
対極を揺動棚の下に設けた事を特徴とする請求項1記載の外科用医用具洗浄装置。
【請求項５】
洗浄液は過酸化水素（H2O2)10mM〜100mMの水溶液に支持電解質10mM〜100mMを溶解した洗浄液である請求項1〜4記載の外科用医用具洗浄装置
【請求項６】
揺動棚の揺動動作により網籠内の外科医用具近傍に水流を発生させる翼を有する揺動棚である請求項1〜5記載の外科用医用具洗浄装置
【請求項７】
ステンレスで構成した洗浄槽の内部に電気的に絶縁された金属揺動棚と、対極（電極）を有し、該揺動棚には外科医用具を並べて入れた金網籠を載せられるよう構成し、該揺動棚に負電位、該対極に陽電位が掛かるよう直流電源を接続し、該洗浄槽にH2O2（過酸化水素）水溶液を含む洗浄液を入れたとき該網籠と該対極は水没し、該水槽内の揺動棚は網籠を載せた状態で洗浄液内で揺動する構成の外科用医用具洗浄装置。
【請求項８】
揺動棚に掛かっている負電圧を洗浄槽に切り替える構成の請求項1,3,4,5,6,7記載の外科用医用具洗浄装置。
【発明の詳細な説明】
【技術分野】
【０００１】
本発明は外科用医用具洗浄装置に係わり、手術後の血液等による汚染された外科用医用具の洗浄のための外科用医用具洗浄装置に関するものである。
【背景技術】
【０００２】
患者の血液にはB型肝炎、C型肝炎、西ナイル熱などさまざまなウイルス、感染症源を含んでおり、医療関係者はその感染危険に晒されている。
感染症源を含む手術後の汚染した外科医用器具の洗浄は、現在、超音波を用いた洗浄器を用いている。その殺菌は過酸化水素ガスや、蒸気殺菌又はエチレンオキサイドガスを用いるもの（特開2001-149875号報）がある。
【特許文献１】特開2001-149875号公報
【０００３】
他の方法として、医療用器具を収納固定する回動可能なメッシュ蓋付籠に、ノズルから殺菌用薬液を洗浄槽内に自動注入する手段や、血液除去薬液自動注入手段、水道水、熱風自動供給手段を有する自動洗浄器（特開平10-201号報）があり、ノズルから洗浄液や薬液を吹きかけて洗浄、殺菌をして乾燥までするものか知られている。
他に、オゾン水溶液を洗浄液とし超音波洗浄を行うオゾン殺菌洗浄装置（特開平7-88163)が公知例としてある。
【特許文献２】特開平10-201号公報
【特許文献３】特開平7-88163号公報
【発明の開示】
【発明が解決しようとする課題】
【０００４】
以上のように、従来は超音波、ジェット水流等物理的手法と洗浄剤を組合せていたが、脂肪、蛋白質を含む血液からなる汚れは落ちにくく、とりわけ乾いた血液汚れの除去は困難を極めておりこれら洗浄器に入れる前、温湯にて看護士が手洗いするものも多い。
また、洗浄に薬液や、洗剤を多用する現状において、この洗浄後の廃液を環境に適合するまでの処理に多大の時間と費用を要している。
【０００５】
血液で汚染された医療用機器を短時間に洗浄し、人の介在を減らし、感染危険を無くする。更に洗浄と殺菌は別の工程が必要であった。
【課題を解決するための手段】
【０００６】
過酸化水素（H2O2)分解により発生するOHラジカルは極めて高い酸化力を有しており、有機物を瞬時に酸化分解することが知られている。OHラジカルにより酸化反応の生成物は、主として、水や酸素、二酸化炭素などの後処理が不要なものがほとんどである。
OHラジカルの発生の原理としては、過酸化水素の紫外線分解の他にHaber-Weiss反応が知られている。Haber-Weiss反応における電子供与材として、負電圧を印加した電極表面から直接過酸化水素に電子を与える事が出来る。
【０００７】
汚れの付着した金属表面を過酸化水素と接触させ、その状態で負電圧を印加する。すると金属表面で過酸化水素分子が電子を受け取り、OHラジカルが発生する、金属表面上で発生したOHラジカルは、同じ表面上に付着している汚れ物質を直接攻撃し、酸化分解する。このことは特開2002-173799号公報にある。
【特許文献４】特開2002-173799号公報
【０００８】
この技術を外科用医用具洗浄装置に応用し新たな発明を行ったものである。
即ち、洗浄槽の内部に電気的に絶縁された金属揺動棚と、対極（電極）を有し、該揺動棚には外科医用具を並べて入れた金網籠を載せられるよう構成し、該揺動棚に負電位、該対極に陽電位が掛かるよう直流電源を接続し、該洗浄槽にH2O2（過酸化水素）水溶液を含む洗浄液を入れたとき該網籠と該対極は水没し、該水槽内の揺動棚は網籠を載せた状態で洗浄液内で揺動する構成の外科用医用具洗浄装置である。
【０００９】
金属の揺動棚には負電位が接続されているが、これに使用後の汚れた外科医用具を並べた金網籠を載せると、金網籠を通じて、中に入っている金属の外科医用具が揺動棚と電気的同電位となり、外科医用具（金属）表面と接触している過酸化水素分子に電子を渡しOHラジカルを発生し付着している蛋白や脂肪からなる有機物の汚れを酸化分解することにより強固に付着している汚れを除去する。
【００１０】
このことはOHラジカルにより外科医用具表面に付着する感染症病原菌を同時に殺菌することができることを示すものである。この導電性のある金網籠に外科医用具を載せることにより外科医用具1本1本をマイナス極に接続することなく全てを同電位のマイナス極とすることができ操作性の向上が図られる。
【００１１】
なお、両電極間に印加する直流電圧は、OHラジカルを発生させる電圧以上であり、水を電気分解する電圧より低い電圧である。この実施例では1.5ボルトと低いので、洗浄槽を金属で構成し、洗浄槽内に設けた対極を該洗浄槽とすることもできる。
医療用設備では清潔を求められるため、錆びないよう金属はステンレスを用いる事が好ましい。
【００１２】
対極の金属はプラチナが好ましい、そしてその面積は広いほうが洗浄液との接触面積が広くなるので好ましい。更に新鮮な洗浄液と対極が接触することが好ましく、揺動棚の揺動により洗浄液が移動し新鮮な洗浄液と接触するよう、対極の設置場所を洗浄糟内の洗浄液がよく動く位置、例えば揺動棚の下や横に設ける事が好ましい。
【００１３】
対極と共に陰極側、医用具表面にも新鮮な洗浄液の供給が必要である。H2O2（過酸化水素）と接触する医用具表面から電子を受け取って発生するOHラジカルにより医用具表面で汚れ成分を分解、離脱させることにより消費するH2O2（過酸化水素）を補うと伴に、汚れ成分を医用具表面付近から剥離し遠ざけることが必要である。
【００１４】
このため揺動棚の揺動動作により網籠内の外科医用具近傍に水流を多く発生させ、新鮮な洗浄液と医用具表面を接触させ、離脱した汚れを医用具表面から遠ざけるために揺動棚を揺動させる。
更にこの揺動動作により網籠内の外科医用具近傍に水流を多く発生させるため揺動棚や籠に翼を付設することが有効である。
【００１５】
洗浄液は過酸化水素(H2O2)のモル濃度が10ミリモル〜100ミリモル（10mM〜100mM）の水溶液に支持電解質を同じく、モル濃度が10ミリモル〜100ミリモル（10mM〜100mM）溶解した液を洗浄液として用いる。支持電解質は、例えばKCL,NaCL等を用いる。このように従来の洗浄液の洗浄力に頼る濃い洗浄液に比べ、大変薄く環境にやさしい洗浄液である。
【００１６】
洗浄装置による洗浄操作終了後、洗浄器（洗浄糟）が洗い落とした汚れで汚染する。この洗浄器の洗浄が必要であり、この人手による作業を無くすることが必要である。このため揺動棚に掛かっている負電圧を洗浄槽に切り替える、あるいは揺動棚と洗浄槽の両方に掛かるよう切り替える事により装置が洗浄できるようにする。
【発明の効果】
【００１７】
金網籠に汚染した外科用医用具を並べて入れ、マイナス電位を付与することにより医用具金属表面よりOHラジカルを発生させ血液汚れを分解し、殺菌すると伴に金網籠を揺動することにより大きい洗浄効果がえられる。
マイナス電位の切替により洗浄物と、洗浄槽の洗浄が可能となる。
【発明を実施するための最良の形態】
【００１８】
次に、本発明に係る外科用医用具洗浄装置に関する実施例に基づいて説明するが、本発明はこれに限定されるものではない。
【実施例１】
【００１９】
図1は、一実施例による外科用医用具洗浄装置の構成を示す図である。
ステンレスで構成した洗浄槽1の内部に電気的に絶縁された金属揺動棚17と、対極（電極）9を有し、該棚には外科医用具4を並べて入れた金網籠3を載せられるよう構成し、該揺動棚17に負電位を直流電源である電池6のマイナス極に電線7で接続し、電池6のプラス電極に電線8で対極9に接続し、陽電位が掛かるよう構成する。金属揺動棚17は洗浄液が通過しやすい構造とする、例えば金網状、或はスノコ状がよい。金属揺動棚17の揺動により洗浄液に水流を生じさせるため翼を付ける。金網籠３内の外科医用具4に洗浄液がよく当たるようになる。
【００２０】
洗浄槽1にH2O2（過酸化水素）水溶液に支持電解質、例えばKCL,NaCL等を加えた洗浄液20を入れたとき該金網籠3と該対極9は水没し、該水槽1内の揺動棚17は金網籠3を載せた状態で洗浄液内で揺動する構成である。揺動棚17は絶縁効果のある支え部2よりワイヤー18で吊り下げられ揺動可能であり、左端は洗浄槽1に取付けられ絶縁効果を持つ支持部12と揺動棚17をスプリング11で接続し、揺動棚17の右端をワイヤー19で滑車21を用いて方向転換し、巻車22にモーター5で巻きつけ正転、逆転させ揺動させる。対極9は絶縁体10で洗浄槽1の金属から絶縁されている。
【００２１】
洗浄槽1には水配管15と洗浄液配管16が各々弁14を介して導入できるよう配管接続され、同じく排水管13が弁14を介して接続され、廃液が排出できる構成としている。
洗浄槽1を洗浄するため負電極を切り替えるスイッチ23があり、医用器具の洗浄時と洗浄槽の洗浄時に切り替える。
【実施例２】
【００２２】
図2に実施例2を示す。対極9は揺動棚17、金網籠3を揺動させることにより、洗浄糟1内の洗浄液20が移動する量あるいは移動度合いが多い位置が好ましく、実施例1の図1の場合では揺動棚の底に位置し、実施例2の図2では両サイド、あるいは前後でもよい。更にその各々の対極に別の電池のマイナス極を接続する。揺動棚に揺動動作により洗浄液が移動しやすいよう翼24を付ける。これにより対極に対する新鮮な洗浄液の接触、および外科医用具表面に対する新鮮は洗浄液の接触が増える。
なお洗浄糟を金属、例えばステンレスで構成した場合、対極を洗浄槽とすることもできる。
【実施例３】
【００２３】
金網籠3をマイナス極とする方法は図2、図3に示すように、電源のマイナス極をクリップ25により接続する方法が示されている。
【実施例４】
【００２４】
図4はマイナス極に導電性マット26を接続しそれを金網籠3に被せてマイナス電位とする方法である。他は前記実施例と同じである。
ただし、籠を洗浄槽から絶縁し、揺動させる方法は別の方法も種々ありそれを含む。
【図面の簡単な説明】
【００２５】
【図１】実施例1の構成を示す模式図
【図２】実施例2の構成を示す模式図
【図３】実施例3の構成を示す模式図
【図４】実施例4の構成を示す模式図
【符号の説明】
【００２６】
1  洗浄槽
2  支え部
3  金網籠
4  外科医用具
5  モーター
6  電池
7,8  電線
9  対極
10  絶縁体
11  スプリング
12  支持部
13  排水管
14  弁
15  水配管
16  洗浄液配管
17  揺動棚
18  ワイヤー
19  ワイヤー
20  洗浄液
21  滑車
22  巻車
23  スイッチ
24  翼
25  クリップ
26  導電性マット
【図１】
2006167088.tif 000003
【図２】
2006167088.tif 000004
【図３】
2006167088.tif 000005
【図４】
2006167088.tif 000006